(57)【要約】【課題】簡素な構成により、使用する者が様々な形の造形物を想定して積み木部材を使って形を作ることができ、多様性に富み、形作られた造形物が崩れ難い構造の積み木を提供する。【解決手段】複数の積み木部材と連結部材とを有する積み木において、少なくとも一つの有底の穴が形成された第１の積み木部材１と、少なくとも一つの有底の穴が形成された第２の積み木部材２とを備え、連結部材３が第１の積み木部材１の有底の穴の深さと、第２の積み木部材２の有底の穴の深さとを合計した長さよりも長く形成され、連結部材３の一端部が第１の積み木部材１の有底の穴に嵌め込まれ、連結部材３の他端部が第２の積み木部材２の有底の穴に嵌め込まれることにより、第１の積み木部材１と第２の積み木部材２とが連結部材３により連結される。【選択図】図１
2018143727.tif 000002
【特許請求の範囲】
【請求項１】
複数の積み木部材と前記積み木部材を互いに連結する連結部材とを有する積み木において、
少なくとも一つの有底の穴が形成された第１の積み木部材と、
少なくとも一つの有底の穴が形成された第２の積み木部材とを備え、
前記連結部材が前記第１の積み木部材の有底の穴の深さＬ１と、前記第２の積み木部材の有底の穴の深さＬ２とを合計した長さより大きい長さＬ３で形成され、
前記連結部材の一端部が前記第１の積み木部材の有底の穴に着脱可能に嵌め込まれ、前記連結部材の他端部が前記第２の積み木部材の有底の穴に着脱可能に嵌め込まれることにより、前記第１の積み木部材と前記第２の積み木部材とが前記連結部材により連結されることを特徴とする積み木。
【請求項２】
前記第１の積み木部材および前記第２の積み木部材が木製の立体からなり、前記立体が、円形、略円形、方形および略方形の少なくともいずれか一つの断面形状を有していることを特徴とする請求項１に記載の積み木。
【請求項３】
前記連結部材が木製の立体からなり、前記連結部材の前記一端部が円柱形に形成され、前記第１の積み木部材の有底の穴が前記一端部と嵌合し得るよう円形に形成され、前記連結部材の前記他端部が円柱形に形成され、前記第２の積み木部材の有底の穴が前記他端部と嵌合し得るよう円形に形成されていることを特徴とする請求項１または請求項２に記載の積み木。
【請求項４】
前記連結部材の前記一端部が方形に形成され、前記第１の積み木部材の有底の穴が前記一端部と着脱可能に嵌合し得るよう方形に形成され、前記連結部材の前記他端部が方形に形成され、前記第２の積み木部材の有底の穴が前記他端部と着脱可能に嵌合し得るよう方形に形成されていることを特徴とする請求項１ないし請求項３のいずれか１の請求項に記載の積み木。
【請求項５】
前記第１の積み木部材の有底の穴および前記第２の積み木部材の有底の穴のうち少なくともいずれか一つの有底の穴で軸線方向に直交する方向の内周面部に溝が形成され、前記溝に弾性体からなるＯリングが装着されることを特徴とする請求項１ないし請求項４のいずれか１の請求項に記載の積み木。
【請求項６】
前記連結部材の前記一端部および前記他端部の少なくともいずれか一つの端部で軸線方向に直交する方向の周囲に溝が形成され、前記溝に弾性体からなるＯリングが装着されることを特徴とする請求項１ないし請求項５のいずれか１の請求項に記載の積み木。
【発明の詳細な説明】
【技術分野】
【０００１】  本発明は、複数の積み木部材とこれらの積み木部材を互いに連結する連結部材とを有する積み木に関する。
【背景技術】
【０００２】  従来、この種の積み木は、断面が円形や方形で形成された立体の積み木部材を上方に積み上げて作り手の望む形を作って楽しむものであり、いろいろな形を作ることができる。
他方、積み上げた積み木部材は崩れやすいので、積み木部材の外周面に突起を形成するとともに、他の積み木部材の外周面に穴を形成し、積み木部材の突起を積み木部材の穴に差し込んで形を作るものが提案されている（特許文献１参照）。
【先行技術文献】
【特許文献】
【０００３】
【特許文献１】特開２００６−１４８０２号公報
【発明の概要】
【発明が解決しようとする課題】
【０００４】  しかしながら、特許文献１に記載の積み木は、予め設定された人形などの造形物が出来上がるようになっており、形が決められてしまっている。例えば、積み木部材としての第１の円錐ブロック、半球体ブロック、第１の円錐ブロックよりも大きい第２の円錐ブロック、一対の木の葉ブロック、小さめの角型ブロックで構成されている。第１の円錐ブロックは人形の帽子、半球体ブロックは人形の顔、第２の円錐ブロックは人形の洋服、一対の木の葉ブロックは人形の手、小さめの角型ブロックは人形の足をそれぞれイメージするように構成されている。この構成により、各ブロックの突起を所定の穴に付けることで、予め設定された人形の造形物が出来上がるようになっている。これらの各ブロックの突起や穴は、予め想定された形の造形物が出来上がるように形成されているので、積み木の多様性が妨げられる構成となっている。【０００５】  本発明は、このような問題を解決するためになされたもので、簡素な構成により、使用する者が様々な形の造形物を想定して積み木部材を使って形を作ることができ、多様性に富み、形作られた造形物が崩れ難い構造の積み木を提供することを課題とする。
【課題を解決するための手段】
【０００６】（１）本発明に係る積み木は、複数の積み木部材と前記積み木部材を互いに連結する連結部材とを有する積み木において、少なくとも一つの有底の穴が形成された第１の積み木部材と、少なくとも一つの有底の穴が形成された第２の積み木部材とを備え、前記連結部材が前記第１の積み木部材の有底の穴の深さＬ１と、前記第２の積み木部材の有底の穴の深さＬ２とを合計した長さより大きい長さＬ３で形成され、前記連結部材の一端部が前記第１の積み木部材の有底の穴に着脱可能に嵌め込まれ、前記連結部材の他端部が前記第２の積み木部材の有底の穴に着脱可能に嵌め込まれることにより、前記第１の積み木部材と前記第２の積み木部材とが前記連結部材により連結されることを特徴とする。【０００７】（２）（１）に記載の積み木において、前記第１の積み木部材および前記第２の積み木部材が木製の立体からなり、前記立体が、円形、略円形、方形および略方形の少なくともいずれか一つの断面形状を有していることを特徴とする。ここで、略円形とは、外観で凹凸などの変形があり正確な円形とは言えなくても、全体から円形を想起させる程度の形をいい、略方形とは、外観で凹凸などの変形があり正確な方形とは言えなくても、全体から円形を想起させる程度の形をいう。【０００８】（３）（１）または（２）に記載の前記積み木において、前記連結部材が木製の立体からなり、前記連結部材の前記一端部が円柱形に形成され、前記第１の積み木部材の有底の穴が前記一端部と嵌合し得るよう円形に形成され、前記連結部材の前記他端部が円柱形に形成され、前記第２の積み木部材の有底の穴が前記他端部と嵌合し得るよう円形に形成されていることを特徴とする。【０００９】（４）（１）ないし（３）のいずれかに記載の積み木において、前記連結部材の前記一端部が方形に形成され、前記第１の積み木部材の有底の穴が前記一端部と着脱可能に嵌合し得るよう方形に形成され、前記連結部材の前記他端部が方形に形成され、前記第２の積み木部材の有底の穴が前記他端部と着脱可能に嵌合し得るよう方形に形成されていることを特徴とする。【００１０】（５）（１）ないし（４）のいずれかに記載の前記積み木において、前記第１の積み木部材の有底の穴および前記第２の積み木部材の有底の穴のうち少なくともいずれか一つの有底の穴で軸線方向に直交する方向の内周面部に溝が形成され、前記溝に弾性体からなるＯリングが装着されることを特徴とする。【００１１】（６）（１）ないし（５）のいずれかに記載の前記積み木において、前記連結部材の前記一端部および前記他端部の少なくともいずれか一つの端部で軸線方向に直交する方向の周囲に溝が形成され、前記溝に弾性体からなるＯリングが装着されることを特徴とする。
【発明の効果】
【００１２】  本発明によれば、簡素な構成により、使用する者が様々な形の造形物を想定して積み木部材を使って形を作ることができ、多様性に富み、形作られた造形物が崩れ難い構造の積み木を提供することができる。
【図面の簡単な説明】
【００１３】
【図１】  本発明の第１実施形態に係る積み木の分解斜視図である。
【図２】  本発明の第１実施形態に係る積み木の図で、図２Ａは、第１の積み木部材の有底の穴を軸線方向に切断した部分断面図であり、図２Ｂは、第２の積み木部材の有底の穴を軸線方向に切断した部分断面図であり、図２Ｃは、連結部材の側面図であり、図２Ｄは、第１の積み木部材の有底の穴に連結部材の一端部が嵌め込まれ、第２の積み木部材の有底の穴に連結部材の他端部が嵌め込まれた状態の部分断面図である。
【図３】  本発明の第１実施形態に係る積み木の斜視図である。
【図４】  本発明の第２実施形態に係る積み木の分解斜視図である。
【図５】  本発明の第２実施形態に係る積み木の図で、図５Ａは、Ｏリングを有底の穴の溝に装着する状態のＯリングおよび第１の積み木部材の部分断面図であり、図５Ｂは、第２の積み木部材の有底の穴の溝にＯリングを装着した部分断面図であり、図５Ｃは、第２の積み木部材の有底の穴に連結部材の一端部が嵌め込まれた状態の部分断面図である。
【図６】  本発明の第２実施形態に係る積み木の斜視図である。
【図７】  本発明の第３実施形態に係る積み木の分解斜視図である。
【図８】  本発明の第３実施形態に係る積み木の図で、図８Ａは、Ｏリングを装着した連結部材の一端部が第１の積み木部材の有底の穴に嵌め込まれる状態の部分断面図で、図８Ｂは、Ｏリングを装着した連結部材の一端部が第１の積み木部材の有底の穴に嵌め込まれた状態の部分断面図である。
【図９】  本発明の第３実施形態に係る積み木の斜視図である。
【図１０】  本発明の他の形態の積み木の第１組立例を示す斜視図である。
【図１１】  本発明の他の形態の積み木の第２組立例を示す斜視図である。
【発明を実施するための形態】
【００１４】  ＜第１実施形態＞
本発明の積み木の第１実施形態について図面を参照して説明する。図１に示すように、第１実施形態に係る積み木１０は、第１の積み木部材１と、第２の積み木部材２と、複数の連結部材３とにより構成され、第１の積み木部材１と第２の積み木部材２は、連結部材３により連結されるようになっている。第１の積み木部材１、第２の積み木部材２および連結部材３は、それぞれ温い感触の木製で、例えば、国産の間伐材を利用した桧や杉などの木材で形成されている。なお、木材の代わりに他の材料、例えば合成樹脂であってもよい。
【００１５】  第１の積み木部材１は、六つの平面で囲まれた縦断面および横断面が方形の立体で、隣り合う面が互いに直角に交わるよう形成され、正面１１、背面１２、左側面１３、右側面１４、上面１５、底面１６を有している。背面１２には、有底の穴２１が形成され、上面１５には、有底の穴２２、２３が形成され、底面１６には、有底の穴２４、２５、２６、２７が形成されている。
【００１６】  有底の穴２１は、図２Ａに示すように、直径Ｄ１、深さＬ１で背面１２に形成されており、有底の穴２２、２３、２４、２５、２６、２７も、それぞれ有底の穴２１と同様に形成されている。各有底の穴は、第１の積み木部材１を貫通していないので、連結部材３を第１の積み木部材１に連結した際の位置決めになっている。
【００１７】  第２の積み木部材２は、図１に示すように、軸線方向に直交する横断面が円形の円柱からなる立体で、正面３１、背面３２、側面３３を有している。正面３１には、有底の穴４１が形成され、背面３２には、有底の穴４２が形成され、側面３３には、有底の穴４３が形成されている。
有底の穴４１は、図２Ｂに示すように、直径Ｄ２、深さＬ２で正面３１に形成されており、有底の穴４２、４３も、それぞれ有底の穴４１と同様に形成されている。直径Ｄ２は直径Ｄ１と、深さＬ２は深さＬ１と同じ寸法で形成されている。
【００１８】  連結部材３は、図１に示すように、軸線方向に直交する横断面が円形の円柱からなる立体で、正面５１、背面５２、側面５３を有している。図２Ｃに示すように、連結部材３は、直径Ｄ３、長さＬ３で形成されている。図２Ｄに示すように、連結部材３の一端部５４および他端部５５は、第１の積み木部材１の有底の穴２１、２２、２３、２４、２５、２６、２７および第２の積み木部材２の有底の穴４１、４２、４３に着脱可能に嵌め込まれるようになっている。
【００１９】  また、連結部材３の長さＬ３は、有底の穴２２の深さＬ１と有底の穴４３の深さＬ２とを合計した寸法よりも長い寸法で形成されている。すなわち、連結部材３の長さは、Ｌ３＞Ｌ１＋Ｌ２の関係にある。連結部材３の直径Ｄ３は、各有底の穴の直径Ｄ１、Ｄ２よりも僅かに小さく形成されており、一端部５４および他端部５５が各有底の穴に着脱可能に嵌め込まれるよう形成されている。
【００２０】  第１実施形態に係る積み木１０は、図３に示すように、第１の積み木部材１と、第２の積み木部材２と、複数の連結部材３とを使って、動物の造形物を作成したもので、第１の積み木部材１、第２の積み木部材２および連結部材３を任意に組み立てて様々な造形物を作成することができる。
【００２１】  以上、説明したように、第１実施形態の積み木１０は、構成されているので、以下の効果を得ることができる。
すなわち、第１実施形態の積み木１０は、第１の積み木部材１と、第２の積み木部材２と連結部材３とを備え、連結部材３の一端部５４および他端部５５が第１の積み木部材１または第２の積み木部材２の各有底の穴に着脱可能に嵌め込まれるよう構成されている。
【００２２】  したがって、第１の積み木部材１と、第２の積み木部材２と連結部材３の三種類の部材だけを組み合わせて造形物を作成することができるので、簡素な構成により、使用する者が様々な形の造形物を想定して形を作ることができ、多様性に富むという効果が得られる。
【００２３】  また、連結部材３の一端部５４を有底の穴２２に嵌め込む際に一端部５４の先端が有底の穴２２の底に突き当たるので位置決めとなり、簡単に嵌め込むことができるという効果が得られる。また、連結部材３の長さは、Ｌ３＞Ｌ１＋Ｌ２の関係にあるので、連結後に、連結部材３の側面５３の一部が露出し、連結部材３の側面５３が造形物の一部を構成するようになり、組み合わせの多様性が増すという効果が得られる。また、第１の積み木部材１および第２の積み木部材２が連結部材３で連結されるよう構成されているので、形作られた造形物が崩れ難いという効果が得られる。
【００２４】  また、第１実施形態の積み木１０は、第１の積み木部材１、第２の積み木部材２および連結部材３がそれぞれ木製の部材で形成されているので、温かい感触で部材を使用することができるという効果が得られる。また、木製の部材を国産の間伐材を利用することで、森林保護の一助になるという効果も得られる。
【００２５】  ＜第２実施形態＞
本発明の積み木を第１実施形態の積み木１０に適用する場合について説明したが、本発明の積み木を第１実施形態の積み木１０と異なる構造で構成した第２実施形態の積み木２０に適用してもよい。なお、第１実施形態の積み木１０と同じ構成については、第１実施形態の積み木１０と同じ符号を付して詳細な説明は省略する。
【００２６】  第２実施形態の積み木２０は、図４に示すように、第１実施形態の積み木１０とぼぼ同様に構成され、第１の積み木部材１０１と、第２の積み木部材１０２と、複数の連結部材３と、ゴムなどの弾性体からなるＯリング４とにより構成される。第１の積み木部材１０１と第２の積み木部材１０２は、第１実施形態の積み木１０と同様に連結部材３により連結されるようになっている。
【００２７】  第１の積み木部材１０１、第２の積み木部材１０２は、第１実施形態の積み木１０と同様にそれぞれ温い感触の木製で、例えば、国産の間伐材を利用した桧や杉などの木材で形成されている。なお、木材の代わりに他の材料、例えば合成樹脂であってもよい。
【００２８】  第１の積み木部材１０１は、六つの平面で囲まれた縦断面および横断面が方形の立体で、隣り合う面が互いに直角に交わるよう形成され、正面１１１、背面１１２、左側面１１３、右側面１１４、上面１１５、底面１１６を有している。背面１１２には、有底の穴１２１が形成され、上面１１５には、有底の穴１２２、１２３が形成され、底面１１６には、有底の穴１２４、１２５、１２６、１２７が形成されている。
【００２９】  有底の穴１２２は、図５Ａに示すように、第１実施形態の有底の穴２２と同じ有底の穴の軸線方向の中央部分に溝１２２Ｍが形成されており、図５Ｂに示すように、Ｏリング４が装着されるようになっている。図示しないが、有底の穴１２１、１２３、１２４、１２５、１２６、１２７、１４１、１４２、１４３にも、それぞれ有底の穴２２と同様に溝が形成されており、Ｏリング４が装着されるようになっている。なお、この溝１２２Ｍは、例えば、内径溝入れ加工により、形成することができる。
【００３０】  第２の積み木部材１０２は、図４に示すように、第１実施形態の積み木１０と同様に軸線方向に直交する横断面が円形の円柱からなる立体で、正面１３１、背面１３２、側面１３３を有している。正面１３１には、有底の穴１４１が形成され、背面１３２には、有底の穴１４２が形成され、側面１３３には、有底の穴１４３が形成されている。
【００３１】  有底の穴１４３は、第１の積み木部材１０１の有底の穴１２２と同様に軸線方向の中央部分に溝が形成されておりＯリング４が装着されるようになっている。有底の穴１４１、１４２も、それぞれ有底の穴１４１と同様に形成されておりＯリング４が装着されるようになっている。
【００３２】  図５Ｃに示すように、連結部材３の一端部５４は、第１の積み木部材１０１の有底の穴１２２に着脱可能に嵌め込まれるようになっており、連結部材３の一端部５４は、第１の積み木部材１０１の他の有底の穴１２１、１２３、１２４、１２５、１２６、１２７にそれぞれ着脱可能に嵌め込まれるようになっている。また、連結部材３の他端部５５は、第２の積み木部材１０２の有底の穴１４３または有底の穴１４１、１４２にそれぞれ着脱可能に嵌め込まれるようになっている。
【００３３】  第２実施形態に係る積み木２０は、第１実施形態に係る積み木１０と同様、図６に示すように、第１の積み木部材１０１と、第２の積み木部材１０２と、複数の連結部材３とを使って、動物の造形物を作成したもので、第１の積み木部材１０１、第２の積み木部材１０２および連結部材３を任意に組み立てて様々な造形物を作成することができる。
【００３４】  以上、説明したように、第２実施形態の積み木２０は、構成されているので、第１実施形態の積み木２０と同様の効果を得ることができる。
すなわち、第２実施形態の積み木２０は、第１の積み木部材１０１と、第２の積み木部材１０２と連結部材３と、Ｏリング４とを備え、連結部材３の一端部５４または他端部が第１の積み木部材１０１または第２の積み木部材１０２の各有底の穴に着脱可能に嵌め込まれるよう構成されている。
【００３５】  したがって、第１の積み木部材１０１と、第２の積み木部材１０２と連結部材３の三種類の部材だけを組み合わせて造形物を作成することができるので、簡素な構成により、使用する者が様々な形の造形物を想定して形を作ることができ、多様性に富むという効果が得られる。
【００３６】  また、連結部材３の一端部５４を有底の穴１２２に嵌め込む際に一端部５４の先端が有底の穴１２２の底に突き当たるので位置決めとなり、簡単に嵌め込むことができるという効果が得られる。また、連結部材３の長さは、Ｌ３＞Ｌ１＋Ｌ２の関係にあるので、連結後に、連結部材３の側面５３の一部が露出し、連結部材３の側面５３が造形物の一部を構成するようになり、組み合わせの多様性が増すという効果が得られる。また、第１の積み木部材１０１および第２の積み木部材１０２が連結部材３で連結されるよう構成されているので、形作られた造形物が崩れ難いという効果が得られる。
【００３７】  また、第２実施形態の積み木２０は、第１実施形態の積み木１０と同様に、第１の積み木部材１０１、第２の積み木部材１０２および連結部材３がそれぞれ木製の部材で形成されているので、温かい感触で部材を使用することができるという効果が得られる。また、木製の部材を国産の間伐材を利用することで、森林保護の一助になるという効果も得られる。
【００３８】  第１の積み木部材１０１および第２の積み木部材１０２の各有底の穴にはＯリング４が装着されているので、連結部材３の一端部５４および他端部５５が各有底の穴に嵌め込まれた際に、確実に保持されるという効果が得られる。また、各有底の穴にはＯリング４が装着されているので、連結部材３を着脱した際、第１の積み木部材１０１、第２の積み木部材１０２および連結部材３の摩耗が少なくなり、耐久性が向上するという効果も得られる。
【００３９】  ＜第３実施形態＞
本発明の積み木を第１実施形態の積み木１０および第２実施形態の積み木２０に適用する場合について説明したが、本発明の積み木を第１実施形態の積み木１０および第２実施形態の積み木２０と異なる構造で構成した第３実施形態の積み木３０に適用してもよい。なお、第１実施形態の積み木１０と同じ構成については、第１実施形態の積み木１０と同じ符号を付して詳細な説明は省略する。
【００４０】  本発明の積み木の第３実施形態について図面を参照して説明する。図７に示すように、第３施形態に係る積み木３０は、第１の積み木部材１と、第２の積み木部材２と、複数の連結部材２０３と、Ｏリング５とにより構成され、第１実施形態の積み木１０と同様、第１の積み木部材１と第２の積み木部材２は、連結部材２０３により連結されるようになっている。Ｏリング５は、ゴムなどの弾性体で形成され、連結部材２０３と同様の木の色を有していてもよく、他の色、例えば黒色であってもよい。
【００４１】  第１の積み木部材１、第２の積み木部材２および連結部材２０３は、それぞれ温い感触の木製で、例えば、国産の間伐材を利用した桧や杉などの木材で形成されている。なお、木材の代わりに他の材料、例えば合成樹脂であってもよい。
【００４２】  連結部材２０３は、図７に示すように、軸線方向に直交する横断面が円形の円柱からなる立体で、正面２５１、背面２５２、側面２５３を有している。図８Ａに示すように、連結部材２０３は、第１実施形態の連結部材３と同様の直径Ｄ３、長さＬ３で形成されている。連結部材２０３の一端部２５４および他端部２５５には、円周方向に溝２０３Ｍが形成されており、Ｏリング５が装着されるようになっている。
【００４３】  連結部材２０３の一端部２５４および他端部２５５は、図８Ｂに示すように、第１実施形態の連結部材３と同様、第１の積み木部材１の有底の穴２１、２２、２３、２４、２５、２６、２７および第２の積み木部材２の有底の穴４１、４２、４３の有底の穴の内のいずれかの有底の穴に着脱可能に嵌め込まれるようになっている。
【００４４】  第３実施形態に係る積み木３０は、図９に示すように、第１の積み木部材１と、第２の積み木部材２と、複数の連結部材２０３とを使って、動物の造形物を作成したもので、第１の積み木部材１、第２の積み木部材２および連結部材２０３を任意に組み立てて様々な造形物を作成することができる。
【００４５】  以上、説明したように、第３実施形態の積み木３０は、構成されているので、以下の効果を得ることができる。
すなわち、第３実施形態の積み木１０は、第１の積み木部材１と、第２の積み木部材２と連結部材２０３と、Ｏリング５とを備え、連結部材２０３の一端部２５４および他端部２５５が第１の積み木部材１または第２の積み木部材２の各有底の穴に着脱可能に嵌め込まれるよう構成されている。
【００４６】  したがって、第１の積み木部材１と、第２の積み木部材２と連結部材２０３の三種類の部材だけを組み合わせて造形物を作成することができるので、簡素な構成により、使用する者が様々な形の造形物を想定して形を作ることができ、多様性に富むという効果が得られる。
【００４７】  また、連結部材２０３の一端部２５４を有底の穴２２に嵌め込む際に一端部２５４の先端が有底の穴２２の底に突き当たるので位置決めとなり、簡単に嵌め込むことができるという効果が得られる。また、連結部材２０３の長さは、Ｌ３＞Ｌ１＋Ｌ２の関係にあるので、連結後に、連結部材２０３の側面５３の一部が露出し、連結部材２０３の側面５３が造形物の一部を構成するようになり、組み合わせの多様性が増すという効果が得られる。また、第１の積み木部材１および第２の積み木部材２が連結部材２０３で連結されるよう構成されているので、形作られた造形物が崩れ難いという効果が得られる。
【００４８】  また、第３実施形態の積み木３０は、第１実施形態の積み木１０と同様、第１の積み木部材１、第２の積み木部材２および連結部材２０３がそれぞれ木製の部材で形成されているので、温かい感触で部材を使用することができるという効果が得られる。また、木製の部材を国産の間伐材を利用することで、森林保護の一助になるという効果も得られる。
【００４９】  また、第３実施形態の積み木３０は、連結部材２０３の一端部２５４および他端部２５５にＯリング５が装着されているので、連結部材２０３の一端部２５４および他端部２５５が各有底の穴に嵌め込まれた際に、確実に保持されるという効果が得られる。
【００５０】  また、連結部材２０３の一端部２５４および他端部２５５には、Ｏリング５が装着されているので、連結部材２０３を着脱した際、第１の積み木部材１、第２の積み木部材２および連結部材２０３の摩耗が少なくなり、耐久性が向上するという効果も得られる。
【００５１】  ＜他の形態の積み木の第１組立例＞
本発明の積み木は、前述の第１実施形態の積み木１０、第２実施形態の積み木２０および第３実施形態の積み木３０に限定されることはなく、これらの実施形態と異なる構造の他の形態で構成してもよい。例えば、第１実施形態の第１の積み木部材１と同様の第１の積み木部材３０１と、連結部材３とにより、本発明の積み木を構成し、図１０に示すように、第１の積み木部材３０１を連結部材３で交互に連結し、直線的に組み立ててもよい。
【００５２】  ＜他の形態の積み木の第２組立例＞
また、第１実施形態の第１の積み木部材１と形状の異なる第１の積み木部材４０１と、第１実施形態の第２の積み木部材４０２と、長さの異なる複数の連結部材４０３とにより、本発明の積み木を構成してもよい。
【００５３】  図１１に示すように、第１の積み木部材４０１と４０第２の積み木部材４０２とを連結部材４０３で連結し、さらに第１の積み木部材４０１に長さの異なる連結部材４０３を連結するとともに、第２の積み木部材４０２に長さの異なる連結部材４０３を連結して動物の形になるよう組み立ててもよい。
【００５４】  図１０に示す第１組立例および図１１に示す第２組立例においても、簡素な構成により、使用する者が様々な形の造形物を想定して形を作ることができ、多様性に富むという効果が得られる。
【符号の説明】
【００５５】  １、１０１、４０１・・・第１の積み木部材
２、１０２、４０２・・・第２の積み木部材
３、２０３、４０３・・・連結部材
４、５・・・Ｏリング
１０、２０、３０・・・積み木
１１、３１、５１、１１１、１３１、２５１・・・正面
１２、３２、５２、１１２、１３２、２５２・・・背面
１３、１１３・・・左側面
１４、１１４・・・右側面
１５、１１５・・・上面
１６、１１６・・・底面
２１、２２、２３、２４、２５、２６、２７、４１、４２、４３、１２１、１２２、１２３、１２４、１２５、１２６、１２７、１４１、１４２、１４３・・・有底の穴
３３、５３、１３３、２５３・・・側面
５４、２５４・・・一端部
５５、２５５・・・他端部
１２２Ｍ、２０３Ｍ・・・溝
Ｄ１・・・第１の積み木部材の有底の穴の直径
Ｄ２・・・第２の積み木部材の有底の穴の直径
Ｄ３・・・連結部材の直径
Ｌ１・・・第１の積み木部材の有底の穴の深さ
Ｌ２・・・第２の積み木部材の有底の穴の深さ
Ｌ３・・・連結部材の長さ
【図１】
2018143727.tif 000003
【図２】
2018143727.tif 000004
【図３】
2018143727.tif 000005
【図４】
2018143727.tif 000006
【図５】
2018143727.tif 000007
【図６】
2018143727.tif 000008
【図７】
2018143727.tif 000009
【図８】
2018143727.tif 000010
【図９】
2018143727.tif 000011
【図１０】
2018143727.tif 000012
【図１１】
2018143727.tif 000013